(57)【特許請求の範囲】
【請求項１】
所定の通信回線を使用して電話通信を行う電話通信方法において、
前記電話通信を行うそれぞれの相手先の名称毎に、少なくとも電話番号と電子メールアドレスを含む複数の通信種類の通信先情報を記憶し、
前記記憶された通信先情報の通信種類に対応する通信処理プログラムを記憶し、
前記記憶された相手先の名称と、その相手先の名称に対応した複数の通信種類の通信先情報を表示画面上に一覧表示し、
該表示画面上に一覧表示された複数の通信先情報の中から特定の通信先情報が選択され、その選択された特定の通信先情報の通信種類が電子メールアドレスである場合には、対応する通信処理プログラムを起動させて前記通信回線を使用した発信を行う
ことを特徴とする電話通信方法。
【請求項２】
請求項１に記載の電話通信方法において、
前記相手先の名称に対応した通信先情報には、ホームページアドレスを含み、前記通信処理プログラムとして、ブラウザプログラムであり、
選択された通信先情報の通信種類がホームページアドレスである場合には前記ブラウザプログラムを起動させて前記通信回線を使用した発信を行うことを特徴とする
電話通信方法。
【請求項３】
請求項１に記載の電話通信方法において、
前記通信回線を使用した発信の後、相手先との接続が確立されたときに、前記選択された通信種類が電子メールアドレスであるときは、該電子メールアドレスにメールを送信する処理を行うことを特徴とする
電話通信方法。
【請求項４】
請求項１に記載の電話通信方法において、
前記通信回線を使用した発信の後、相手先との接続が確立されたときに、前記選択された通信種類がホームページであるときは、該相手先に該ホームページのアドレスを送信する処理を行うことを特徴とする
電話通信方法。
【請求項５】
所定の通信回線を使用して電話通信を行う電話通信端末において、
前記電話通信を行うそれぞれの相手先の名称毎に、少なくとも電話番号と電子メールアドレスを含む複数の通信種類の通信先情報を記憶する通信相手先情報記憶部と、
前記通信相手先情報記憶部に記憶された通信先情報の通信種類に対応する通信処理プログラムを記憶したプログラム記憶部と、
前記通信相手先情報記憶部に記憶された相手先の名称と、その相手先の名称に対応した複数の通信種類の通信先情報を表示画面上に一覧表示する表示部と、
前記表示部の表示画面上に一覧表示された複数の通信先情報の中から、特定の通信先情報を選択する選択部と、
前記選択部により選択された特定の通信先情報の通信種類が電子メールアドレスである場合には、前記プログラム記憶部に記憶された対応する通信処理プログラムを起動させて前記通信回線を使用した発信を行う制御部とを
備えることを特徴とする電話通信端末。
【請求項６】
請求項５に記載の電話通信端末において、
前記通信相手先情報記憶部が記憶する相手先名称に対応した通信先情報には、ホームページアドレスを含み、前記プログラム記憶部が記憶する通信処理プログラムとして、ブラウザプログラムを含み、
前記選択部で選択された通信先情報の通信種類がホームページアドレスである場合には、前記制御部が前記プログラム記憶部に記憶されたブラウザプログラムを起動させて前記通信回線を使用した発信を行うことを特徴とする
電話通信端末。
【請求項７】
請求項５に記載の電話通信端末において、
前記制御部は、前記通信回線を使用した発信で相手先との接続が確立されたときに、前記選択部で選択された通信種類が電子メールアドレスであるときは、該電子メールアドレスにメールを送信する処理を行うことを特徴とする
電話通信端末。
【請求項８】
請求項５に記載の電話通信端末において、
前記制御部は、前記通信回線を使用した発信で相手先との接続が確立されたときに、前記選択部で選択された通信種類がホームページであるときは、該相手先に該ホームページのアドレスを送信する処理を行うことを特徴とする
電話通信端末。
【発明の詳細な説明】
【０００１】
【発明の属する技術分野】
本発明は、例えば電話回線を使用した通信方法及び電話回線に接続される通信端末に適用して好適な電話通信方法及び電話通信端末に関する。
【０００２】
【従来の技術】
従来、電子電話帳と称される電話番号を名前などと共に記憶させることができるものが開発されていた。この電子電話帳は、例えば電話番号を名前などと共に記憶するデータ記憶部と、そのデータ記憶部に電話番号などを記憶させたり或いは記憶された名前などを検索するキーと、そのキー操作に基づいて検索された名前や電話番号などを表示させる表示部を備える。そして、キー操作により、必要とする名前を検索させることで、該当する電話番号を名前と共に表示部に表示させる。また、機種によっては、表示された電話番号の発信用信号であるＤＴＭＦ信号（Dual Tone Multi frequency 信号）を生成させて、そのＤＴＭＦ信号を出力できるようにして、電話機に電子電話帳を接続すれば、該当する電話番号の発信ができるようなものもある。
【０００３】
【発明が解決しようとする課題】
ところで従来の電子電話帳では、記憶させる電話番号には、１件毎に名前をつけて記憶させるようにしてあり、その名前（或いは会社名など）に基づいて検索を行って、必要な番号を得るようにしてあった。ところが実際には、各種通信サービスの実用化により、各個人が複数の電話番号を持ったり、或いは電話番号以外の呼び出し番号やアドレスを持つ場合が多くなっているが、従来の電子電話帳ではこれらの番号などを記憶させようとすると、既に記憶された通常の電話番号とは無関係に、それぞれに名前などを付けて記憶させる必要がある。例えば、名前Ａの者が一般の加入電話の番号の他に、携帯電話の番号、ページャ装置の呼び出し番号を持つ場合、それぞれの番号毎に、名前Ａと入力させて記憶させる必要があり、このように記憶させると、名前Ａで検索すると、この３つの番号のいずれかが表示されることになり、どの通信手段による呼び出し番号であるのか判断するのが困難になっている。
【０００４】
また、このような電話番号以外に、コンピュータ装置を使用した通信である電子メールのアドレスや、インターネットのホームページアドレスを持つ場合も多くなっているが、それらのアドレスは数字以外のデータが含まれるので、従来の電子電話帳などの装置で記憶させるのは困難であると共に、記憶がもし出来たとしても、そのアドレスと上述した一般の電話番号とは無関係に記憶され、そのアドレスの表示から同一人物が持つその他の番号との対応については判断できない不都合があった。さらに、そのアドレスへの発信についての考慮もされてなかった。
【０００５】
本発明はこれらの点に鑑み、電話番号などの管理及びその番号を使用した回線接続などが簡単にできるようにすることを目的とする。
【０００６】
【課題を解決するための手段】
本発明は、所定の通信回線を使用して接続した相手と電話通信を行う場合において、電話通信を行うそれぞれの相手先の名称毎に、少なくとも電話番号と電子メールアドレスを含む複数の通信種類の通信先情報を記憶し、記憶された通信先情報の通信種類に対応する通信処理プログラムを記憶し、記憶された相手先の名称と、その相手先の名称に対応した複数の通信種類の通信先情報を表示画面上に一覧表示し、その表示画面上に一覧表示された複数の通信先情報の中から特定の通信先情報が選択され、その選択された通信先情報の通信種類が電子メールアドレスである場合には、対応する通信処理プログラムを起動させて前記通信回線を使用した発信を行うようにしたものである。
【０００７】
かかる構成によると、複数の態様でデータ通信用の番号又はアドレスが記憶されるので、種々の通信用番号やアドレスを統一的に管理できる。
【０００８】
【発明の実施の形態】
以下、本発明の一実施例を添付図面を参照して説明する。
【０００９】
図１は本発明が適用される通信端末装置の構成を示すブロック図で、マイクロコンピュータなどで構成される制御部１は、液晶ディスプレイなどで構成されて文字，数字などを所定行，所定列で表示できる表示部２が接続してある。また、各種操作の指示や記憶させるデータの入力操作などを行うキー３が制御部１に接続してある。この場合、キー３の操作で電話番号や各種アドレスなどのデータの入力操作を行うので、数字や各種文字（アルファベットなど）などの入力ができる構成のキーが用意されている。また、制御部１が行う制御プログラムが予め記憶されたプログラムメモリ４と、キー操作などにより入力されたデータを記憶するデータメモリ５とが、制御部１に接続してある。
【００１０】
プログラムメモリ４には、データメモリ５に記憶されたデータの表示部２での表示処理を行うための制御動作のプログラムや、データメモリ５に記憶されたデータ（番号又はアドレス）の発信処理を行うためのプログラムなどが予め記憶させてある。なお、この発信処理として、後述する電子メールやインターネットに関する処理もできるようにしてあり、それぞれの通信処理に必要な処理プログラムについても、プログラムメモリ４に記憶させてある。この場合、電子メールの発信や着信に必要な局の番号や、インターネットに接続させるのに必要な局の番号などのデータについても、処理プログラムとしてメモリ４に記憶させてある。データメモリ５としては、各個人毎の電話番号や通信用アドレスについてのデータを、キー操作などに基づいて記憶できるようにしてある。図２は、本例のデータメモリ５の記憶エリア構成例を示す図で、１人毎に名前，会社名，住所を見出しとして記憶でき、それに付随する番号のデータとして、自宅の電話番号，会社の電話番号，ファクシミリ（ＦＡＸ）用の電話番号，携帯電話用の電話番号，パーソナルハンディフォン（ＰＨＳ）用の電話番号，ページャ装置（ポケットベル）用の呼び出し番号のデータが、それぞれ対応したエリアに記憶できる。また、電子メールのアドレスとインターネットのホームページアドレスとを持つ場合には、それらのアドレスについても記憶できるエリアが用意されている。そして、キー操作などで各電話番号やアドレスなどが入力されたとき、対応したエリアに記憶される。
【００１１】
なお、記憶したデータを表示部２で表示させる場合にも、例えば図２に示すように、検索された者に関して記憶された各種電話番号やアドレスを一覧できるように表示させる。或いは、表示させたい番号やアドレスの種類をキー３により指定して、その種類の番号やアドレス（例えばインターネットのホームページアドレス）だけを表示させるようにしても良い。これらの表示は、制御部１の制御に基づいて行われる。
【００１２】
そして、デジタル電話回線であるＩＳＤＮ（Integrated Services Digital Network ）回線７に接続するためのＩＳＤＮインターフェース６が、制御部１に接続してあり、制御部１の制御に基づいてＩＳＤＮインターフェース６で発信などの通信処理が行われる。なお、発信処理を行って通信回線が接続された後は、この装置のＩＳＤＮインターフェース６に接続されたデータ処理装置や電話機（いずれも図示せず）を使用して、ＩＳＤＮ回線７を経由して接続された相手と通信を行う。但し、ページャ装置の呼び出しなどの比較的簡単な処理については、他の電話機などを使用しないで、本例の装置だけを使用して直接通信を行う。
【００１３】
なお、図示はしないが、これらの各回路に電源を供給する電源回路についても用意されている。
【００１４】
次に、本例の装置を使用して通信を行う場合の処理動作を説明する。図３は、本例の装置を使用してＩＳＤＮ回線を使用して発信を行ってから、回線が切断されるまでの回線制御手順を示す図で、図中の発信端末が本例の装置に相当し、着信端末が装置のメモリ５などに記憶された電話番号の相手に相当する。
【００１５】
まず、本例の装置（以下発信端末と称する）の利用者は、発信させたい電話番号をデータメモリ５が記憶した番号から選択した後、オフフックとする操作をし、制御部１からＩＳＤＮインターフェース６を介して交換局（交換機）に対して発呼の呼設定を実行させる。なお、選択されたものが電話番号ではなく、電子メールアドレスやインターネットのホームページアドレスの場合には、電子メールの発着信を行う番号、又はインターネットに接続させる番号を、接続プログラムに基づいて制御部１が判断して、その番号の発呼の呼設定を行う。この呼設定を行ったときには、交換局からは呼設定受付のデータが返送される。
【００１６】
そして、相手の端末（着信端末）に接続された交換局（交換機）から、相手の端末に着呼の呼設定を行う。この呼設定が行われたとき、着信端末側では呼び出し音を鳴らし、発信端末側では、表示部２に呼び出し中であることを表示させる。
【００１７】
この状態で着信端末側がオフフック状態になると、表示部２での呼び出し中の表示を停止させ、着信端末側で応答を確認すると、発信端末と着信端末との間の回線を接続させて、通信を開始させる。
【００１８】
ここで、発信させることを選択した番号が一般の加入電話や携帯電話，ＰＨＳなどの電話番号である場合には、音声などでの通話が行われ、ファクシミリ用の電話番号である場合には、ファクシミリ用のデータの伝送が行われ、ページャ装置（ポケットベル）用の呼び出し番号である場合には、メッセージ用の信号の伝送などが行われる。
【００１９】
また、電子メールアドレスやインターネットのホームページアドレスへの発信を選択した場合には、指定された電子メールアドレスへの送信処理や、指定しされたホームページアドレスの入力処理などが、プログラムメモリ４に記憶されたプログラムに基づいて実行される。それらの処理については後述する。
【００２０】
そして、これらの通信が終了した後、着信側の端末がオンフック状態になると、着信端末側から回線切断の要求を行い、発信端末の切断処理を行い、発信端末側の表示部２に回線が切断したことを表示させると共に、切断された側での回線の解放処理を行う。
【００２１】
また、発信端末側でオンフック状態になった場合には、発信端末側から回線切断の要求を行い、着信端末の切断処理を行い、着信端末側で回線が切断したことを表示させると共に、切断された側での回線の解放処理を行う。
【００２２】
なお、本例においては、電子メールの送信などで予め送信するデータが用意されている場合には、そのデータの送信を終了した段階で、発信端末の制御部１の制御で、回線を切断させる処理を自動的に行うようにしてある。
【００２３】
次に、このように回線を接続させて通信を行う場合に、インターネットのホームページアドレスを選択した場合の処理を、図４のフローチャートを参照して説明する。まず、データメモリ５に記憶され表示部２に表示されたいずれかのホームページアドレスが選択されたか否か判断し（ステップ１０１）、選択された場合には、インターネットのホームページを検索して表示させるのに必要なソフトウエアであるブラウザが未起動である場合に起動させる（ステップ１０２）。このブラウザのデータは、プログラムメモリ４に予め記憶させてある。そして、インターネットの接続局であるプロバイダへの発信処理を行って、そのプロバイダと回線を接続させる（ステップ１０３）。このプロバイダとの接続処理は、図３により説明した回線接続処理により行われる。なお、このプロバイダとの接続処理についても、未接続の場合に限って行われる。そして、接続された場合に、電話帳データであるデータメモリ５に記憶された該当するホームページアドレスを伝送する（ステップ１０４）。このホームページアドレスの伝送により、そのアドレスのデータが返送されて、表示部２又は接続された別のコンピュータ装置のディスプレイ（図示せず）などに表示させる。
【００２４】
また、電子メールアドレスを選択した場合には、図５のフローチャートに従って処理される。即ち、まずデータメモリ５に記憶され表示部２に表示されたいずれかの電子メールアドレスが選択されたか否か判断し（ステップ２０１）、選択された場合には、電子メールの送信に必要なプログラムが未起動である場合に、そのプログラムを起動させる（ステップ２０２）。このプログラムのデータは、プログラムメモリ４に予め記憶させてある。そして、送信要求があるか否か判断し（ステップ２０３）、送信要求がある場合には、電子メールの中継を行う局に回線を接続させる（ステップ２０４）。この回線接続処理は、図３により説明した回線接続処理により行われる。
【００２５】
そして、制御部１の制御により、接続された局に対して用意された電子メールのデータの送信処理を行う（ステップ２０５）。そして、制御部１は、用意された電子メールのデータの送信が完了したか否か判断し（ステップ２０６）、完了した場合には、メールの送信後に回線切断を行うモードとなっているか否か判断し（ステップ２０７）、回線切断を行うモードである場合には、制御部１の制御に基づいて回線切断処理を行う（ステップ２０８）。
【００２６】
なお、ページャ装置の呼び出し番号への発信の場合で、メッセージの送信がある場合についても、この電子メールの送信処理と同じ処理で実行される。即ち、ステップ２０５で電子メールのデータの送信処理の代わりに、メッセージデータの送信処理を行う。
【００２７】
このように本例の装置によると、種々の用途の電話番号や通信用アドレスを、一括して記憶することができ、電話番号や通信用アドレスを記憶する電子電話帳として使い勝手が良い。そして、記憶したそれぞれの電話番号や通信用アドレスへの発信ができるので、通信を行う上で非常に便利である。特に、電子メールアドレスやインターネットのホームページアドレスを指定した場合には、該当するアドレスへ接続させる上で必要なソフトウエアの起動が自動的に行われて、必要な通信処理が行われるので、利用者にとってはそれらの通信処理を全く行うことなく、アドレスへの発信などが行われ、非常に簡単にそれらの通信ができるようになる。
【００２８】
なお、上述実施例では、記憶させる電話番号や通信用アドレスについて一例を示したものであり、その他の電話番号や通信用アドレスを記憶させるようにしても良いことは勿論である。
【００２９】
また、上述実施例ではＩＳＤＮ回線を使用した例について説明したが、他の通信インターフェイス（アナログの一般加入回線や無線電話回線など）を使用する場合にも適用できることは勿論である。
【００３０】
【発明の効果】
本発明によると、複数の態様でデータ通信用の番号又はアドレスが記憶されるので、種々の通信用番号やアドレスを統一的に管理できる。
【００３１】
この場合、必要なデータ通信の処理として、少なくともインターネットのホームページアドレスを含むことで、このホームページアドレスの管理が、電話番号などと一括して行え、ホームページアドレスを効率良く検索できるようになる。また、必要なデータ通信の処理として、少なくとも電子メールアドレスを含むことで、この電子メールアドレスの管理が、電話番号などと一括して行え、電子メールアドレスを効率良く検索できるようになる。
【００３３】
さらに、これらの番号又はアドレスを指定したとき、予め用意された該当するデータ通信の処理に必要なプログラムに基づいて、自動的に送信に必要な通信処理を行うようにしたことで、記憶された各番号やアドレスによる発信処理が自動的に出来るようになり、記憶された番号やアドレスによる通信が簡単にできる。さらに、この自動的に発信を行って所定のデータを送信した後、通信を切断させる処理を行うことで、発信から通信切断までの一連の処理が自動的に行われ、より簡単に記憶された番号やアドレスによる通信ができるようになる。
【図面の簡単な説明】
【図１】本発明の一実施例を示す構成図である。
【図２】一実施例のデータメモリ構成を示す説明図である。
【図３】一実施例の回線制御手順を示す説明図である。
【図４】一実施例のホームページアクセス処理を示すフローチャートである。
【図５】一実施例の電子メール送信処理を示すフローチャートである。
【符号の説明】
１  制御部、２  表示部、３  キー、４  プログラムメモリ、５  データメモリ、６  ＩＳＤＮインターフェース、７  ＩＳＤＮ回線
【図１】
0003692651.tif 000002
【図２】
0003692651.tif 000003
【図３】
0003692651.tif 000004
【図４】
0003692651.tif 000005
【図５】
0003692651.tif 000006